(57)【要約】【課題】  この発明は、ＣＭが提供されている間は番組が提供されている場合に比べて冷却ファンの回転速度を高めることにより、より効果的な冷却が行えるテレビジョン受像機を提供することを目的とする。【解決手段】  装置本体内部の温度を冷却するための冷却ファン、装置本体内部の温度を検出するための温度検出器、再生されている放送内容がコマーシャルであるか番組であるかを判別するための番組・コマーシャル判別手段、ならびに番組・コマーシャル判別手段の判別結果と温度検出器の検出温度とに基づいて、冷却ファンの回転数を制御するための制御手段を備えている。【選択図】  図１
2006287777.tif 000002
【特許請求の範囲】
【請求項１】
装置本体内部の温度を冷却するための冷却ファン、
装置本体内部の温度を検出するための温度検出器、
再生されている音声信号の音声モードを判別する音声モード判別手段、ならびに
音声モード判別手段の判別結果と温度検出器の検出温度とに基づいて、冷却ファンの回転数を制御するための制御手段、
を備えていることを特徴とするテレビジョン受像機。
【請求項２】
制御手段は、温度検出器の検出温度が高くなるほど冷却ファンの回転数が高くなるように冷却ファンの回転数を制御するとともに、音声モード判別手段によって判別された音声モードがステレオ放送モードの場合には、音声モード判別手段によって判別された音声モードがモノラル放送モードである場合に比べて冷却ファンの回転数が高くなるように冷却ファンの回転数を制御するものであることを特徴とする請求項１に記載のテレビジョン受像機。
【請求項３】
装置本体内部の温度を冷却するための冷却ファン、
装置本体内部の温度を検出するための温度検出器、
出力音声の音量を調整するための音量ボリューム値を入力するための入力手段、
再生されている音声信号の音声モードを判別する音声モード判別手段、ならびに
入力手段によって入力された音量ボリューム値と音声モード判別手段の判別結果と温度検出器の検出温度とに基づいて、冷却ファンの回転数を制御するための制御手段、
を備えていることを特徴とするテレビジョン受像機。
【請求項４】
制御手段は、温度検出器の検出温度が高くなるほど冷却ファンの回転数が高くなるようにかつ、入力手段によって入力された音量ボリューム値が低いほど冷却ファンの回転数が低くなるように冷却ファンの回転数を制御するとともに、音声モード判別手段によって判別された音声モードがステレオ放送モードの場合には、音声モード判別手段によって判別された音声モードがモノラル放送モードである場合に比べて冷却ファンの回転数が高くなるように冷却ファンの回転数を制御するものであることを特徴とする請求項３に記載のテレビジョン受像機。
【請求項５】
装置本体内部の温度を冷却するための冷却ファン、
装置本体内部の温度を検出するための温度検出器、
再生されている放送内容がコマーシャルであるか番組であるかを判別するための番組・コマーシャル判別手段、ならびに
番組・コマーシャル判別手段の判別結果と温度検出器の検出温度とに基づいて、冷却ファンの回転数を制御するための制御手段、
を備えていることを特徴とするテレビジョン受像機。
【請求項６】
制御手段は、温度検出器の検出温度が高くなるほど冷却ファンの回転数が高くなるように冷却ファンの回転数を制御するとともに、番組・コマーシャル判別手段によって判別された放送内容がコマーシャルの場合には、番組・コマーシャル判別手段によって判別された放送内容が番組である場合に比べて冷却ファンの回転数が高くなるように冷却ファンの回転数を制御するものであることを特徴とする請求項５に記載のテレビジョン受像機。
【請求項７】
装置本体内部の温度を冷却するための冷却ファン、
装置本体内部の温度を検出するための温度検出器、
出力音声の音量を調整するための音量ボリューム値を入力するための入力手段、
再生されている放送内容がコマーシャルであるか番組であるかを判別するための番組・コマーシャル判別手段、ならびに
入力手段によって入力された音量ボリューム値と番組・コマーシャル判別手段の判別結果と温度検出器の検出温度とに基づいて、冷却ファンの回転数を制御するための制御手段、
を備えていることを特徴とするテレビジョン受像機。
【請求項８】
制御手段は、温度検出器の検出温度が高くなるほど冷却ファンの回転数が高くなるようにかつ、入力手段によって入力された音量ボリューム値が低いほど冷却ファンの回転数が低くなるように冷却ファンの回転数を制御するとともに、番組・コマーシャル判別手段によって判別された放送内容がコマーシャルの場合には、番組・コマーシャル判別手段によって判別された放送内容が番組である場合に比べて冷却ファンの回転数が高くなるように冷却ファンの回転数を制御するものであることを特徴とする請求項７に記載のテレビジョン受像機。
【発明の詳細な説明】
【技術分野】
【０００１】
この発明は、テレビジョン受像機に関する。
【背景技術】
【０００２】
ＰＤＰを備えたテレビジョン受像機では、ＰＤＰ等の発熱によって装置本体内部の温度が上昇しやすい。そこで、ＰＤＰを備えたテレビジョン受像機には、装置本体内部の温度上昇を防止するために、冷却ファンが設けられている。冷却ファンの回転数を高くするほど、冷却効果は高くなるが、回転音、風切り音等の騒音が大きくなる。従来は、テレビジョン受像機内部の温度に応じて、冷却ファンの回転数が制御されている。
【発明の開示】
【発明が解決しようとする課題】
【０００３】
ところで、ステレオ音声の場合にはモノラル音声の場合に比べて出力音声が大きいため、ステレオ音声の場合にはモノラル音声の場合に比べて冷却ファンの回転速度を高めても、冷却ファンによる騒音が気にならない。この点に着目し、本発明者は、ステレオ音声の場合には冷却ファンの回転速度を上げて冷却効果を増すといったことを着想した。
【０００４】
また、番組視聴中はユーザはその視聴に集中しているため、冷却ファンによる騒音が気になるが、ＣＭ（コマーシャル）が提供されている間はユーザはその視聴にさほど集中していないため、冷却ファンによる騒音はさほど気にならない。この点に着目し、本発明者は、ＣＭが提供されている間は冷却ファンの回転速度を上げて冷却効果を増し、それによって本来の番組視聴中において冷却ファンの回転速度をできるだけ低下させて騒音を抑制するといったことを着想した。
【０００５】
この発明は、ステレオ音声の場合にはモノラル音声の場合に比べて冷却ファンの回転速度を高めることにより、より効果的な冷却が行えるテレビジョン受像機を提供することを目的とする。
【０００６】
また、この発明は、ＣＭが提供されている間は番組が提供されている場合に比べて冷却ファンの回転速度を高めることにより、より効果的な冷却が行えるテレビジョン受像機を提供することを目的とする。
【課題を解決するための手段】
【０００７】
請求項１に記載の発明は、装置本体内部の温度を冷却するための冷却ファン、装置本体内部の温度を検出するための温度検出器、再生されている音声信号の音声モードを判別する音声モード判別手段、ならびに音声モード判別手段の判別結果と温度検出器の検出温度とに基づいて、冷却ファンの回転数を制御するための制御手段を備えていることを特徴とする。
【０００８】
請求項２に記載の発明は、請求項１に記載の発明において、制御手段は、温度検出器の検出温度が高くなるほど冷却ファンの回転数が高くなるように冷却ファンの回転数を制御するとともに、音声モード判別手段によって判別された音声モードがステレオ放送モードの場合には、音声モード判別手段によって判別された音声モードがモノラル放送モードである場合に比べて冷却ファンの回転数が高くなるように冷却ファンの回転数を制御するものであることを特徴とする。
【０００９】
請求項３に記載の発明は、装置本体内部の温度を冷却するための冷却ファン、装置本体内部の温度を検出するための温度検出器、出力音声の音量を調整するための音量ボリューム値を入力するための入力手段、再生されている音声信号の音声モードを判別する音声モード判別手段、ならびに入力手段によって入力された音量ボリューム値と音声モード判別手段の判別結果と温度検出器の検出温度とに基づいて、冷却ファンの回転数を制御するための制御手段を備えていることを特徴とする。
【００１０】
請求項４に記載の発明は、請求項３に記載の発明において、制御手段は、温度検出器の検出温度が高くなるほど冷却ファンの回転数が高くなるようにかつ、入力手段によって入力された音量ボリューム値が低いほど冷却ファンの回転数が低くなるように冷却ファンの回転数を制御するとともに、音声モード判別手段によって判別された音声モードがステレオ放送モードの場合には、音声モード判別手段によって判別された音声モードがモノラル放送モードである場合に比べて冷却ファンの回転数が高くなるように冷却ファンの回転数を制御するものであることを特徴とする。
【００１１】
請求項５に記載の発明は、装置本体内部の温度を冷却するための冷却ファン、装置本体内部の温度を検出するための温度検出器、再生されている放送内容がコマーシャルであるか番組であるかを判別するための番組・コマーシャル判別手段、ならびに番組・コマーシャル判別手段の判別結果と温度検出器の検出温度とに基づいて、冷却ファンの回転数を制御するための制御手段を備えていることを特徴とする。
【００１２】
請求項６に記載の発明は、請求項５に記載の発明において、制御手段は、温度検出器の検出温度が高くなるほど冷却ファンの回転数が高くなるように冷却ファンの回転数を制御するとともに、番組・コマーシャル判別手段によって判別された放送内容がコマーシャルの場合には、番組・コマーシャル判別手段によって判別された放送内容が番組である場合に比べて冷却ファンの回転数が高くなるように冷却ファンの回転数を制御するものであることを特徴とする。
【００１３】
請求項７に記載の発明は、装置本体内部の温度を冷却するための冷却ファン、装置本体内部の温度を検出するための温度検出器、出力音声の音量を調整するための音量ボリューム値を入力するための入力手段、再生されている放送内容がコマーシャルであるか番組であるかを判別するための番組・コマーシャル判別手段、ならびに入力手段によって入力された音量ボリューム値と番組・コマーシャル判別手段の判別結果と温度検出器の検出温度とに基づいて、冷却ファンの回転数を制御するための制御手段を備えていることを特徴とする。
【００１４】
請求項８に記載の発明は、請求項７に記載の発明において、制御手段は、温度検出器の検出温度が高くなるほど冷却ファンの回転数が高くなるようにかつ、入力手段によって入力された音量ボリューム値が低いほど冷却ファンの回転数が低くなるように冷却ファンの回転数を制御するとともに、番組・コマーシャル判別手段によって判別された放送内容がコマーシャルの場合には、番組・コマーシャル判別手段によって判別された放送内容が番組である場合に比べて冷却ファンの回転数が高くなるように冷却ファンの回転数を制御するものであることを特徴とする。
【発明の効果】
【００１５】
この発明によれば、ステレオ音声の場合にはモノラル音声の場合に比べて冷却ファンの回転速度を高めることにより、より効果的な冷却が行えるようになる。
【００１６】
また、この発明によれば、ＣＭが提供されている間は番組が提供されている場合に比べて冷却ファンの回転速度を高めることにより、より効果的な冷却が行えるようになる。
【発明を実施するための最良の形態】
【００１７】
以下、図面を参照して、この発明をＰＤＰを備えたテレビジョン受像機に適用した場合の実施例について説明する。
【実施例１】
【００１８】
図１は、ＰＤＰを備えたテレビジョン受像機に設けられた冷却ファン制御回路の構成を示している。
【００１９】
冷却ファン１は、ファン駆動部２によって駆動される。ファン駆動部２は、テレビジョン受像機全体を制御するマイクロコンピュータ等の制御部１０によって制御される。スピーカ１１には、ゲインアンプ１２を介して音声信号が送られてくる。ゲインアンプ１２のゲインは、制御部１０によって制御される。制御部１０には、テレビジョン受像機の本体内に設けられた温度検出器３が接続されている。また、制御部１０には、音量調節部（リモコン等の入力手段）１３から音量ボリューム値が入力される。また、制御部１０には、再生されている放送内容がコマーシャルであるか番組であるかを判別するためのコマーシャル検知部１４からの判別信号が入力される。
【００２０】
コマーシャル検知部１４は、例えば、再生されている音声信号の音声モードに基づいて、再生されている放送内容がコマーシャルであるか番組であるかを判別する。つまり、テレビジョン信号に多重伝送された音声信号の音声モード（ステレオ放送モード、モノラル放送モード、２カ国語放送モード）に基づいて、再生されている放送内容がコマーシャルであるか番組であるかを判別する。ほとんどのコマーシャルの音声モードはステレオ放送モードであるので、ステレオ放送モード時にはコマーシャルであると判別する。なお、コマーシャル検知の方法としては、公知の様々な方法を用いることができる。
【００２１】
制御部１０は、音量調節部１３からの音量ボリューム値に基づいて、ゲインアンプ１２のゲインを調整する。つまり、音量調節部１３からの音量ボリューム値が大きいほど、ゲインアンプ１２のゲインを大きくさせる。したがって、音量調節部１３からの音量ボリューム値が大きくなるほど、音量が大きくなる。
【００２２】
また、制御部１０は、音量調節部１３からの音量ボリューム値と、コマーシャル検知部１４からの判別信号と、温度検出器３の検出温度とに基づいて、ファン駆動部２を制御する。具体的には、制御部１０は、音量ボリューム値を複数の段階に分け、音量ボリューム値の各段階毎に温度とファン駆動電圧（ファンの回転数）との関係を記憶した制御テーブルを保持している。
【００２３】
そして、制御部１０は、コマーシャル検知部１４によって現在再生されている放送内容が番組であると判別されている場合には、音量調節部１３からの音量ボリューム値と温度検出器３の検出温度と制御テーブルとに基づいて、冷却ファン１の駆動電圧を制御する。一方、コマーシャル検知部１４によって現在再生されている放送内容がコマーシャルであると判別されている場合には、冷却ファン１の駆動電圧を制御テーブル内の最大値に制御する。
【００２４】
図２は、制御テーブルの内容をグラフで表したものである。
【００２５】
この例では、音量ボリューム値が、０〜１６，１７〜３２，３３〜４８，４９〜６４の４段階に分けられている。そして、基本的には、音量ボリューム値の各段階とも、温度検出器３の検出温度が高いほど、冷却ファン１の回転数（駆動電圧）が高くなるように、制御テーブルが作成されている。また、音量ボリューム値の小さい段階ほど、冷却ファン１の回転数（駆動電圧）が低くなるように、制御テーブルが作成されている。
【００２６】
音量ボリューム値の各段階毎の、検出温度とファン回転数（駆動電圧）との関係は、次のようになる。
【００２７】
（１）第１段階（音量ボリューム値：０〜１６）
検出温度をＴ，冷却ファン１の回転数をＲで表すと、音量ボリューム値の第１段階では、ＴとＲとの関係は次の通りである。
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒａ
（ｃ）  ｉｆ  Ｔｂ≦Ｔ＜Ｔｃ，ｔｈｅｎ  Ｒ＝Ｒｂ
（ｄ）  ｉｆ  Ｔｃ≦Ｔ＜Ｔｄ，ｔｈｅｎ  Ｒ＝Ｒｃ
（ｅ）  ｉｆ  Ｔ≧Ｔｄ，      ｔｈｅｎ  Ｒ＝Ｒｄ
【００２８】
（２）第２段階（音量ボリューム値：１７〜３２）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｂ
（ｃ）  ｉｆ  Ｔｂ≦Ｔ＜Ｔｃ，ｔｈｅｎ  Ｒ＝Ｒｃ
（ｄ）  ｉｆ  Ｔｃ≦Ｔ＜Ｔｄ，ｔｈｅｎ  Ｒ＝Ｒｄ
（ｅ）  ｉｆ  Ｔ≧Ｔｄ，      ｔｈｅｎ  Ｒ＝Ｒｅ
【００２９】
（３）第３段階（音量ボリューム値：３３〜４８）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｃ
（ｃ）  ｉｆ  Ｔｂ≦Ｔ＜Ｔｃ，ｔｈｅｎ  Ｒ＝Ｒｄ
（ｄ）  ｉｆ  Ｔｃ≦Ｔ＜Ｔｄ，ｔｈｅｎ  Ｒ＝Ｒｅ
（ｅ）  ｉｆ  Ｔ≧Ｔｄ，      ｔｈｅｎ  Ｒ＝Ｒｆ
【００３０】
（４）第４段階（音量ボリューム値：４９〜６４）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｄ
（ｃ）  ｉｆ  Ｔｂ≦Ｔ＜Ｔｃ，ｔｈｅｎ  Ｒ＝Ｒｅ
（ｄ）  ｉｆ  Ｔｃ≦Ｔ＜Ｔｄ，ｔｈｅｎ  Ｒ＝Ｒｆ
（ｅ）  ｉｆ  Ｔ≧Ｔｄ，      ｔｈｅｎ  Ｒ＝Ｒｇ
【００３１】
なお、Ｔａ〜Ｔｅの温度は、例えば、次のように設定されている。
Ta＝30°C ，Tb＝40°C ，Tc＝50°C ，Td＝60°C ，Te＝70°C 
【００３２】
また、Ｒａ〜Ｒｇの回転数は、例えば、次のように設定されている。
Ra＝200rpm，Rb＝400rpm，Rc＝800rpm，Rd＝1200rpm ，Re＝1600rpm ，Rf＝2000rpm ，Rg＝2400rpm 
【００３３】
Ｒａ〜Ｒｇに対応するファン駆動電圧Ｖａ〜Ｖｇは、例えば、次のようになる。
Va＝1V，Vb＝2V，Vc＝4V，Vd＝6V，Ve＝8V，Vf＝10V ，Vg＝12V 
【００３４】
上述したように、現在再生されている放送内容が番組である場合には、音量調節部１３からの音量ボリューム値と温度検出器３の検出温度と制御テーブルとに基づいて、冷却ファン１の駆動電圧が制御される。一方、現在再生されている放送内容がコマーシャルである場合には、冷却ファンの駆動電圧が制御テーブル内の最大値に制御される。
【００３５】
図３において、時点ｔ０〜ｔ１の期間においては放送内容が番組であり、時点ｔ１〜ｔ２の期間においては放送内容がコマーシャル（ＣＭ）であり、時点ｔ２以降は放送内容が番組であるとする。
【００３６】
時点ｔ０〜ｔ１の番組放映期間において内部温度がＴｃで音量ボリューム値が３０であるとすると、図３に示すように、その期間においては冷却ファンは回転数Ｒｄで回転せしめられる。時点ｔ１〜ｔ２のコマーシャル放映期間においては、冷却ファンは最大回転数Ｒｇで回転せしめられる。このように冷却ファンの回転数は高くなり、騒音が大きくなるが、コマーシャル中であるため、ユーザはさほど気にならない。このように時点ｔ１〜ｔ２のコマーシャル放映期間では、冷却効果が高くなるため、内部温度が低下する可能性が高い。
【００３７】
この例では、時点ｔ１〜ｔ２のコマーシャル放映期間において、内部温度がＴｃからＴｂに低下したとする。時点ｔ２以降の番組放映期間においては、内部温度がＴｂで音量ボリューム値が３０であるので、冷却ファンは回転数Ｒｃで回転せしめられる。このように、コマーシャル後の本来の番組視聴時の冷却ファン回転数を、コマーシャルの開始前よりも低下させることができる可能性が高いので、本来の番組視聴時に冷却ファンによる騒音を抑制することが可能となる。
【００３８】
なお、上記実施例では、放送内容がコマーシャルである期間においては、冷却ファンの回転数を制御テーブル内の最大値となるように制御しているが、放送内容がコマーシャルである期間には、冷却ファンの回転数を、音量ボリューム値が１段階上のテーブルとその期間の直前の内部温度とによって規定される回転数となるように制御してもよい。図３の例では、時点ｔ１〜ｔ２のコマーシャル放映期間においてボリューム値が３０であり、ボリューム値の段階が第２段階であるので、このコマーシャル放映期間での冷却ファンの回転数を求めるために用いるボリューム値の段階を第３段階とする。このコマーシャル放映期間の直前の内部温度はＴｃであるので、このコマーシャル放映期間での冷却ファンの回転数は、Ｒｅとなる。
【００３９】
また、放送内容がコマーシャルである場合には、冷却ファンの回転数を、内部温度を１段階上げた場合の回転数となるように制御してもよい。図３の例では、時点ｔ１〜ｔ２のコマーシャル放映期間の開始時点での内部温度がＴｃであるので、このコマーシャル放映期間での冷却ファンの回転数を求めるために用いる内部温度をＴｄ以上でかつＴｅ未満の温度とする。音量ボリューム値は３０であるので、このコマーシャル放映期間での冷却ファンの回転数は、Ｒｅとなる。
【００４０】
また、コマーシャル検知部１４の代わりに、現在再生されている音声信号の音声モードがステレオ放送モードであるかモノラル放送モード（２カ国語放送モードを含む）であるかを判別するステレオ／モノラル判別手段を用いてもよい。この場合には、制御部１０は、ステレオ／モノラル判別手段によって音声モードがモノラル放送モードであると判別されている場合には、音量調節部１３からの音量ボリューム値と温度検出器３の検出温度と制御テーブルとに基づいて、冷却ファン１の回転数（駆動電圧）を制御する。一方、ステレオ／モノラル判別手段によって音声モードがステレオ放送モードであると判別されている場合には、モノラル放送モードの場合に比べて冷却ファン１の回転数が高くなるように、冷却ファン１の回転数を制御する。
【００４１】
なお、上記実施例では、音量ボリュームに応じて冷却ファンの回転数を変化させているが、音量ボリュームに応じて冷却ファンの回転数を変化させなくてもよい。つまり、上記制御テーブルの代わりに、音量ボリュームに係わらず、内部温度が高くなるほど冷却ファンの回転数が高くなるような制御テーブルを用いるようにしてもよい。
【００４２】
ＥＰＧ画面、メニュー画面、各種設定画面等のように、ユーザが出力音声を聴く必要がない場合に、冷却ファンの回転数を通常よりも高くするようにしてもよい。
【図面の簡単な説明】
【００４３】
【図１】ＰＤＰを備えたテレビジョン受像機に設けられた冷却ファン制御回路の構成を示すブロック図である。
【図２】音量ボリューム値の各段階毎の、検出温度とファン回転数（駆動電圧）との関係の一例を示すグラフである。
【図３】放送内容が番組、コマーシャル、番組というように変換した場合の、冷却ファンの回転数の変化を示すグラフである。
【符号の説明】
【００４４】
１  冷却ファン
２  ファン駆動部
３  温度検出器
１０  制御部
１１  スピーカ
１２  ゲインアンプ
１３  音量調節部
１４  コマーシャル検知部
【図１】
2006287777.tif 000003
【図２】
2006287777.tif 000004
【図３】
2006287777.tif 000005